(57)【特許請求の範囲】
【請求項１】
粉体若しくは粒体又はペースト状、ゲル状若しくはゾル状等である非定形状の測定対象物の内部品質を測定する透過光式品質測定装置に用いられる測定セルであって、
前記非定形状の測定対象物を収容する、水平底板及び上面開口を有する本体と、
前記上面開口を覆うように前記本体に装着される、水平板部を有する蓋体とを備え、
前記測定対象物を前記本体の収容空間に入れて前記本体に前記蓋体を装着すると、前記収容空間が密閉されるとともに、前記蓋体により押圧された前記測定対象物が前記収容空間内を移動し、前記本体の水平底板上面と前記蓋体の水平板部下面との間が所定の光路長となるように、前記本体と前記蓋体とが位置決めされることを特徴とする測定セル。
【請求項２】
前記本体が、水平底板及び上方に行くにしたがって外方に傾斜するテーパ状の側板を有するものであり、
前記蓋体が、水平板部及び上方に行くにしたがって外方に傾斜するテーパ状の側板を有するものである請求項１記載の測定セル。
【請求項３】
前記蓋体に、下方へ突出して下端に水平板部を有する凸部を形成し、
前記本体に前記蓋体を装着した状態で前記本体の側板と前記凸部の側板とが水平方向に離間しており、
前記凸部の水平板部下面により前記非定形状の測定対象物を押圧するとともに、前記本体の水平底板上面と前記蓋体の凸部の水平板部下面との間が所定の光路長となる請求項２記載の測定セル。
【請求項４】
前記蓋体の光が照射される水平板部の外方下面に凹部を形成し、前記蓋体の水平板部下面により前記非定形状の測定対象物を押圧するとともに、前記本体の水平底板上面と前記蓋体の水平板部下面との間が所定の光路長となる請求項１記載の測定セル。
【請求項５】
前記蓋体の光が照射される箇所の周囲内を透明にし、それ以外の部分を、測定波長域の光を遮断する色にしてなる請求項１〜４の何れか１項に記載の測定セル。
【請求項６】
前記本体及び蓋体の上端部に外方へ水平に延びる鍔部を形成し、前記本体に前記蓋体を装着した状態で、前記本体の鍔部の上面に前記蓋体の鍔部の下面が当接する請求項１〜５の何れか１項に記載の測定セル。
【請求項７】
請求項１〜６の何れか１項に記載の測定セルと、
前記測定セルを保持して装置本体内へ収容又は装置本体内から取り出し可能な抽斗状のトレーと、
前記トレーにより前記測定セルを前記装置本体内へ収容した状態で、前記測定セルの本体の水平底板上面と前記測定セルの蓋体の水平板部下面との間の前記非定形状の測定対象物に対して上下方向に光を照射する投光手段と、
前記測定対象物からの透過光を受光する受光手段と、
前記透過光を分光分析する分光分析手段と、
を備えた透過光式品質測定装置。
【発明の詳細な説明】
【技術分野】
【０００１】
本発明は、測定対象物を収容する測定セル及びそれを備えた透過光式品質測定装置に関するものである。
【背景技術】
【０００２】
測定対象物の品質測定装置として、光源から測定対象物に照射した光の透過光を回折格子で分光し、必要とする波長の分光をラインセンサにより測定し、ラインセンサにより測定した測定値を信号処理・制御装置により演算処理及び波形分析するとともに検量線を用いて演算処理する透過光式品質測定装置がある（例えば、特許文献１及び特許文献２参照。）。
このような透過光式品質測定装置を用いて、粉体若しくは粒体又はペースト状、ゲル状若しくはゾル状等である非定形状の測定対象物（試料）の品質測定を行う際には、前記非定形状の測定対象物を収容する測定セルとして、円形又は四角形の断面形状を有するガラス又はプラスチック製のキュベット（例えば、特許文献３参照。）が広く用いられている。
【先行技術文献】
【特許文献】
【０００３】
【特許文献１】特開平６−２１３８０４号公報
【特許文献２】特開平７−２２９８４０号公報
【特許文献３】特表２００１−５１４７５５号公報
【発明の概要】
【発明が解決しようとする課題】
【０００４】
前記非定形状の測定対象物をキュベットに収容して透過光測定を行う場合、キュベットに収容する測定対象物が流動性の低い物質であると、測定対象物をキュベットに挿入する際に測定対象物の内部に気泡が入ったり、光路内の測定対象物とキュベットとの間に空間ができてしまうことがあり、このような状態では、透過光の測定を正確に行うことができない。
その上、測定対象物が流動性の低い物質である場合には、キュベットの洗浄が非常に困難である。
また、キュベットに収容する測定対象物が粉体又は粒体等であると、そのつまり密度により透過光量が変動することから、透過光の測定を正確に行うことができない。
よって、キュベットに収容した粉体又は粒体等である測定対象物に対して一定の振動を与えることにより前記測定対象物を一定のつまり密度にしてから測定を行う必要があること等、作業性が悪くなる。
【０００５】
そこで、本発明が前述の状況に鑑み、解決しようとするところは、粉体若しくは粒体又はペースト状、ゲル状若しくはゾル状等である非定形状の測定対象物を測定セルに収容して前記測定対象物の内部品質を透過光式品質測定装置により測定する際に、測定精度が高く、測定セルの洗浄を比較的容易に行うことができるとともに、測定の作業性が高い測定セル及び透過光式品質測定装置を提供する点にある。
【課題を解決するための手段】
【０００６】
本発明に係る測定セルは、前記課題解決のために、粉体若しくは粒体又はペースト状、ゲル状若しくはゾル状等である非定形状の測定対象物の内部品質を測定する透過光式品質測定装置に用いられる測定セルであって、前記非定形状の測定対象物を収容する、水平底板及び上面開口を有する本体と、前記上面開口を覆うように前記本体に装着される、水平板部を有する蓋体とを備え、前記測定対象物を前記本体の収容空間に入れて前記本体に前記蓋体を装着すると、前記収容空間が密閉されるとともに、前記蓋体により押圧された前記測定対象物が前記収容空間内を移動し、前記本体の水平底板上面と前記蓋体の水平板部下面との間が所定の光路長となるように、前記本体と前記蓋体とが位置決めされることを特徴とする。
また、前記本体が、水平底板及び上方に行くにしたがって外方に傾斜するテーパ状の側板を有するものであり、前記蓋体が、水平板部及び上方に行くにしたがって外方に傾斜するテーパ状の側板を有するものであるのが好ましい。
【０００７】
このような構成によれば、本体に蓋体を装着すると、本体の水平底板上面と蓋体の水平板部下面との間が所定の光路長となるように位置決めされるため、測定対象物の透過率に応じて最適な透過光強度が得られる光路長となるように本体と蓋体とを組み合わせて使用することにより、測定精度を向上することができる。
その上、本体及び蓋体を上下方向に位置決めして本体の水平底板及び蓋体の水平板部により前記非定形状の測定対象物を挟むようにして、その間を光路長とする構成であり、本体及び蓋体の側板には光が照射されないことから、本体及び蓋体の側板を上方に行くにしたがって外方に傾斜するテーパ状にすることができるため、このような形状にすることにより測定セルの洗浄を比較的容易に行うことができる。
その上さらに、本体及び蓋体の側板を上方に行くにしたがって外方に傾斜するテーパ状にすることにより、抜き勾配を確保することができることから、測定セルを合成樹脂の射出成形等の量産に適した製造方法により製造することができるので、低コスト化を図ることができるため、測定セルの洗浄が困難又は非常に手間が掛かる測定対象物である場合に、測定セルを使い捨てにして作業性を向上することができる。
【０００８】
ここで、前記蓋体に、下方へ突出して下端に水平板部を有する凸部を形成し、前記本体に前記蓋体を装着した状態で前記本体の側板と前記凸部の側板とが水平方向に離間しており、前記凸部の水平板部下面により前記非定形状の測定対象物を押圧するとともに、前記本体の水平底板上面と前記蓋体の凸部の水平板部下面との間が所定の光路長となると好ましい。
このような構成によれば、本体及び蓋体を相対位置決めした状態で蓋体の凸部の水平板部下面により測定対象物が押圧することができることから、測定対象物が流動性の低い物質である場合に、測定対象物の内部に気泡が入ったり、光路内の測定対象物と測定セルとの間に空間ができてしまうことがなくなるため、測定精度が高くなる。
その上、蓋体の凸部の水平板部下面により測定対象物が押圧されることから、測定対象物が粉体又は粒体等である場合に、つまり密度を略一定にすることができるため、測定精度が高くなる。
その上さらに、本体に蓋体を装着することにより粉体又は粒体等である測定対象物のつまり密度を略一定にすることができるため、粉体又は粒体等である測定対象物に対して一定の振動を与えることにより前記測定対象物を一定のつまり密度にしてから測定を行う構成と比較して、作業性を良くすることができる。
【０００９】
また、前記蓋体の光が照射される水平板部の外方下面に凹部を形成し、前記蓋体の水平板部下面により前記非定形状の測定対象物を押圧するとともに、前記本体の水平底板上面と前記蓋体の水平板部下面との間が所定の光路長となると好ましい。
このような構成によれば、蓋体の水平板部下面により測定対象物を押圧して前記水平板部の外方下面の凹部内に一部の測定対象物を逃がし、この状態で本体及び蓋体を相対位置決めすることができることから、蓋体の水平板部下面による測定対象物の押圧により、測定対象物が流動性の低い物質である場合に、測定対象物の内部に気泡が入ったり、光路内の測定対象物と測定セルとの間に空間ができてしまうことがなくなるため、測定精度が高くなる。
その上、蓋体の水平板部下面により測定対象物が押圧されることから、測定対象物が粉体又は粒体等である場合に、つまり密度を略一定にすることができるため、測定精度が高くなる。
その上さらに、本体に蓋体を装着することにより粉体又は粒体等である測定対象物のつまり密度を略一定にすることができるため、粉体又は粒体等である測定対象物に対して一定の振動を与えることにより前記測定対象物を一定のつまり密度にしてから測定を行う構成と比較して、作業性を良くすることができる。
【００１０】
さらに、前記蓋体の光が照射される箇所の周囲内を透明にし、それ以外の部分を、測定波長域の光を遮断する色にしてなると好ましい。
このような構成によれば、蓋体の光が照射される箇所の周囲内からのみ測定対象物に光が照射されることから、測定の再現性をより向上することができるため、さらに測定精度が高くなる。
【００１１】
さらにまた、前記本体及び蓋体の上端部に外方へ水平に延びる鍔部を形成し、前記本体に前記蓋体を装着した状態で、前記本体の鍔部の上面に前記蓋体の鍔部の下面が当接すると好ましい。
このような構成によれば、本体の鍔部の上面に蓋体の鍔部の下面が当接することから、これらの鍔部同士を接着することにより容易に密閉することができるため、測定対象物の漏れを防止することができるとともに、測定対象物の乾燥による水分の変動を抑制することができる。
【００１２】
本発明に係る透過光式品質測定装置は、前記測定セルと、前記測定セルを保持して装置本体内へ収容又は装置本体内から取り出し可能な抽斗状のトレーと、前記トレーにより前記測定セルを前記装置本体内へ収容した状態で、前記測定セルの本体の水平底板上面と前記測定セルの蓋体の水平板部下面との間の前記非定形状の測定対象物に対して上下方向に光を照射する投光手段と、前記測定対象物からの透過光を受光する受光手段と、前記透過光を分光分析する分光分析手段とを備えたものである。
【００１３】
このような構成によれば、前記測定セルと同様の作用効果を奏するとともに、前記測定セルを抽斗状のトレーにより保持して装置本体内へ容易に収容することができ、このように前記測定セルを装置本体内へ収容した状態で、投光手段により測定対象物に対して上下方向に光を照射して受光手段により測定対象物からの透過光を受光し、この透過光を分光分析手段で分光分析することにより、測定対象物の内部品質を測定することができ、測定終了後には抽斗状のトレーを引き出すことにより前記測定セルを容易に取り出すことができるため、作業性を向上することができる。
【発明の効果】
【００１４】
以上のように、本発明に係る測定セル及び透過光式品質測定装置によれば、（ア）本体に蓋体を装着すると、本体の水平底板上面と蓋体の水平板部の下面との間が所定の光路長となるように位置決めされるため、測定対象物の透過率に応じて最適な透過光強度が得られる光路長となるように本体と蓋体とを組み合わせて使用することにより、測定精度を向上することができること、（イ）本体及び蓋体の側板を上方に行くにしたがって外方に傾斜するテーパ状にすることができるため、このような形状にすることにより測定セルの洗浄を比較的容易に行うことができること、（ウ）本体及び蓋体の側板を上方に行くにしたがって外方に傾斜するテーパ状にすることにより、測定セルを合成樹脂の射出成形等の量産に適した製造方法により製造することができることから、低コスト化を図ることができるため、測定セルの洗浄が困難又は非常に手間が掛かる測定対象物である場合に、測定セルを使い捨てにして作業性を向上することができること、（エ）本体に蓋体を装着することにより蓋体の水平板部下面で測定対象物が押圧されることから、測定対象物が流動性の低い物質である場合に気泡等の発生を抑制することができるため、測定精度が高くなること、（オ）本体に蓋体を装着することにより蓋体の水平板部下面で測定対象物が押圧されることから、測定対象物が粉体又は粒体等である場合につまり密度を略一定にすることができるため、測定精度が高くなるとともに作業性が良くなること、等の顕著な効果を奏する。
【図面の簡単な説明】
【００１５】
【図１】本発明の実施の形態に係る透過光式品質測定装置の外観を示す斜視図である。
【図２】同じく正面図であり、内部の投光手段及び受光手段を破線で示している。
【図３】測定セルを収容するトレーを示しており、（ａ）は平面図、（ｂ）は縦断正面図、（ｃ）は斜視図である。
【図４】測定セルの本体を示しており、（ａ）は平面図、（ｂ）は（ａ）の矢視Ｘ１−Ｘ１断面図、（ｃ）は斜視図である。
【図５】測定セルの蓋体を示しており、（ａ）は平面図、（ｂ）は（ａ）の矢視Ｘ２−Ｘ２断面図、（ｃ）は斜視図である。
【図６】測定セルの使用方法を示す縦断正面図であり、（ａ）は本体内に非定形状の測定対象物を収容した状態を、（ｂ）は本体に蓋体を装着した状態を示している。
【図７】図６（ｂ）の測定セルをトレーに装着して透過光式品質測定装置にセットした状態を示す縦断正面図である。
【図８】蓋体のバリエーションを示す縦断正面図であり、（ａ）は図６（ｂ）よりも光路長を長くした例を、（ｂ）は（ａ）よりもさらに光路長を長くした例を、（ｃ）は（ｂ）よりもさらに光路長を長くした例を示している。
【図９】図８（ｃ）の蓋体を示しており、（ａ）は平面図、（ｂ）は（ａ）の矢視Ｘ３−Ｘ３断面図、（ｃ）は斜視図である。
【図１０】蓋体の底板以外の部分を測定波長域の光を遮断する色とした例を示しており、（ａ）は平面図、（ｂ）は（ａ）の矢視Ｘ４−Ｘ４断面図である。
【図１１】蓋体の上端部に外方へ水平に延びる鍔部を形成し、この鍔部を本体の鍔部の上面に重ねる構成例を示す縦断正面図である。
【図１２】本体に蓋体を装着する際に、非定形状の測定対象物を擦り切って密閉する構成例を示しており、（ａ）は縦断側面図、（ｂ）は斜視図である。
【発明を実施するための形態】
【００１６】
次に本発明の実施の形態を添付図面に基づき詳細に説明するが、本発明は、添付図面に示された形態に限定されず特許請求の範囲に記載の要件を満たす実施形態の全てを含むものである。
【００１７】
図１の斜視図及び図２の正面図に示すように、本発明の実施の形態に係る透過光式品質測定装置１は、持ち運びが容易な小形軽量のものであり、測定対象物を収容した後述する測定セルを抽斗状のトレー２により保持して装置本体内へ収容した状態で、操作部７により所要の操作を行い、測定対象物の上方に位置する投光手段９により下方へ光（例えば近赤外光）Ｌを照射し、測定対象物の下方に位置する受光手段１０により透過光を受光し、この透過光を図示しない分光分析手段により分光分析することにより測定対象物の内部品質を測定することができ、測定結果は表示部８に表示される。
ここで、分光分析手段は、例えば、受光手段１０により受光した測定対象物からの透過光を分光処理する分光器、必要とする波長の分光を測定するラインセンサ、該測定値を演算処理及び波形分析するとともに検量線を用いて演算処理する信号処理・制御装置等からなる。
【００１８】
図３（ａ）の平面図、図３（ｂ）の縦断正面図及び図３（ｃ）の斜視図に示すように、トレー２は収容部３及び摘み部４からなる、例えばポリプロピレン、ナイロン又はＡＢＳ等の不透明合成樹脂製であり、摘み部４を持ちながら、図１の透過光式品質測定装置１の装置本体に対してスライドさせて取り出すことができるとともに、前記装置本体内へ収容することができる抽斗状のものである。
トレー２の収容部３は有底で上面開口を有する箱状のものであり、収容部３の上端部には段部５が、収容部３の底板及び側板にはそれぞれ通孔６Ａ及び通孔６Ｂ，６Ｂが形成される。
【００１９】
図４（ａ）の平面図、図４（ｂ）の縦断正面図及び図４（ｃ）の斜視図に示すように、測定セル１１の本体１２は、略矩形状の水平底板及びその外周部から立起する側板により形成され、上面開口を有するカップ状のものであり、側板は上方に行くにしたがって外方に傾斜するテーパ状であり、側板内方の四隅には上面が水平に形成された段部１４，１４，…が設けられ、側板の上端部は外方に折曲され、水平に延びる鍔部１５が形成される。
また、図５（ａ）の平面図、図５（ｂ）の縦断正面図及び図５（ｃ）の斜視図に示すように、測定セル１１の蓋体１３は、外周が略矩形状の水平板部及びその外周部から立起する側板により形成された蓋部１６と、蓋部１６の水平板部に繋がり、下方へ突出する側板及びその下端縁に繋がる水平板部により形成された凸部１７とからなり、蓋部１６の側板及び凸部１７の側板は、上方に行くにしたがって外方に傾斜するテーパ状である。
ここで、本体１２及び蓋体１３は、例えば透明ポリスチレン、ポリエチレンテレフタレート若しくはポリカーボネート等の透明合成樹脂製又は透明ガラス製である。
【００２０】
次に、測定セルの使用方法について説明する。
先ず、図６（ａ）の縦断正面図に示すように、測定セル１１の有底で上面開口を有する本体１２に、食品、農産物、化粧品又は化学薬品等である粉体若しくは粒体又はペースト状、ゲル状若しくはゾル状等である非定形状の測定対象物Ａを入れる。
本体１２に収容する測定対象物Ａの量は、厳密な量にする必要はなく、蓋体１３を本体１２に装着した際に凸部１７の水平板部下面１７Ａにより押圧される程度の量とする。
このように本体１２内に測定対象物Ａを入れた後、図６（ａ）の矢印のように蓋体１３を本体１２に装着すると、図６（ｂ）の縦断正面図に示すように、本体１２の側板の内側面１２Ｂに蓋体１３の蓋部１６の側板の外側面１６Ｂが当接して水平方向の相対位置決めがされるとともに、本体１２の段部１４，１４，…の上面に蓋部１６の水平板部下面１６Ａが当接して上下方向の相対位置決めがされた状態となり、測定対象物Ａは凸部１７の水平板部下面１７Ａにより押圧され、本体１２の水平底板上面１２Ｃと蓋体１３の凸部１７の水平板部下面１７Ａとの間が所定の光路長Ｈ１となる。
【００２１】
このように測定セル１１内に測定対象物Ａを収容した状態で、図７の縦断面図に示すようにトレー２の収容部３に測定セル１１を収容する。この状態では、収容部３の底板に測定セル１１の本体１２の底板が接触するとともに、収容部３の段部５の上面に本体１２の上端部の鍔部１５の下面１５Ａが接触して収容部３の上端部と本体２の上端部とが係合するため、トレー２に対して測定セル１１は相対位置決めされる。
したがって、このように測定セル１１を保持したトレー２を透過光式品質測定装置１の装置本体に収容した状態として、図２及び図７に示すように投光手段９から光Ｌを照射して受光手段１０により透過光を受光することにより、上述の分光分析により測定対象物Ａの内部品質を測定する。
【００２２】
図６（ｂ）のように所定の光路長Ｈ１となるように組み合わせて用いられる本体１２及び蓋体１３に対して、図８（ａ）〜図８（ｃ）の例に示す光路長Ｈ２，Ｈ３，Ｈ４のように所定の光路長を容易に変えることができる。
すなわち、図８（ａ）及び図８（ｂ）は、蓋体１３の凸部１７の突出量を変えることにより所定の光路長Ｈ２，Ｈ３とした例を、図８（ｃ）は凸部１７を無くして所定の光路長Ｈ４とした例を示している。
ここで、図８（ｃ）の測定セル１１の蓋体１３は、図９（ａ）の平面図、図９（ｂ）の縦断面図及び図９（ｃ）の斜視図にも示すように、蓋体１３の光が照射される水平板部の外方下面に凹部１８，１８が形成されており、図８（ｃ）の測定セル１１では、蓋体１３の水平板部下面１６Ａにより測定対象物Ａを押圧するとともに凹部１８，１８内に一部の測定対象物Ａを逃がしており、この状態で本体１２と蓋体１３とが相対位置決めされ、本体１２の水平底板上面１２Ｃと蓋体１３の水平板部下面１６Ａとの間が所定の光路長Ｈ４となっている。
【００２３】
以上のような構成の測定セル１１によれば、本体１２に蓋体１３を装着すると、本体１２の水平底板上面１２Ｃと蓋体１３の水平板部下面１７Ａ，１６Ａとの間が所定の光路長（例えば、Ｈ１，Ｈ２，Ｈ３，Ｈ４）となるように位置決めされるため、測定対象物Ａの透過率に応じて最適な透過光強度が得られる光路長となるように本体１２と蓋体１３とを組み合わせて使用することにより、測定精度を向上することができる。
また、本体１２及び蓋体１３を上下方向に位置決めして本体１２の水平底板及び蓋体の水平板部により測定対象物Ａを挟むようにして、その間を光路長とする構成であり、本体１２及び蓋体１３の側板には光が照射されないことから、本体１２及び蓋体１３の側板を上方に行くにしたがって外方に傾斜するテーパ状にすることができるため、このような形状にすることにより測定セル１１（本体１２及び蓋体１３）の洗浄を比較的容易に行うことができる。
さらに、本体１２及び蓋体１３の側板を上方に行くにしたがって外方に傾斜するテーパ状にすることにより、抜き勾配を確保することができることから、測定セル１１を合成樹脂の射出成形等の量産に適した製造方法により製造することができるので、低コスト化を図ることができるため、測定セル１１の洗浄が困難又は非常に手間が掛かる測定対象物である場合に、測定セル１１を使い捨てにして作業性を向上することができる。
【００２４】
さらにまた、本体１２及び蓋体１３を相対位置決めした状態で、図６（ｂ）、図８（ａ）及び（ｂ）のように蓋体１３の凸部１７の水平板部下面１７Ａにより、又は、図８（ｃ）のように蓋体１３の水平板部下面１６Ａにより測定対象物Ａが押圧することができることから、測定対象物Ａが流動性の低い物質である場合に、測定対象物Ａの内部に気泡が入ったり、光路内の測定対象物Ａと測定セルとの間に空間ができてしまうことがなくなるため、測定精度が高くなる。
また、蓋体１３の凸部１７の水平板部下面１７Ａ又は水平板部下面１６Ａにより測定対象物Ａが押圧されることから、測定対象物Ａが粉体又は粒体等である場合に、つまり密度を略一定にすることができるため、測定精度が高くなる。
さらに、本体１２に蓋体１３を装着することにより粉体又は粒体等である測定対象物Ａのつまり密度を略一定にすることができるため、粉体又は粒体等である測定対象物Ａに対して一定の振動を与えることにより前記測定対象物Ａを一定のつまり密度にしてから測定を行う構成と比較して、作業性を良くすることができる。
【００２５】
さらにまた、図１０（ａ）の平面図及び図１０（ｂ）の縦断正面図に示すように、蓋体１３の光Ｌ（図７参照。）が照射される箇所の周囲内（図１０の例では、凸部１７の水平板部（底板））を透明にし、それ以外の部分を、塗料の塗布や材質を変えること等により測定波長域の光を遮断する色Ｂにしてもよい。
このようにすることにより、蓋体１３の光が照射される箇所の周囲内からのみ測定対象物Ａに光が照射されることから、測定の再現性をより向上することができるため、さらに測定精度が高くなる。
【００２６】
また、図１１の縦断正面図に示すように、蓋体１３（蓋部１６）の上端部に外方へ水平に延びる鍔部１９を形成し、本体１２に蓋体１３を装着した状態で、本体１２の鍔部１５の上面に蓋体１３の鍔部１９の下面が当接するように構成してもよい。
このような構成によれば、本体１２の鍔部１５の上面に蓋体１３の鍔部１９の下面が当接することから、これらの鍔部１５，１９同士を接着することにより容易に密閉することができるため、測定対象物Ａの漏れを防止することができるとともに、測定対象物Ａの乾燥による水分の変動を抑制することができる。
なお、鍔部１５，１９同士の接着は、本体１２及び蓋体１３を熱可塑性材料で製作して熱溶着又は超音波溶着等により接着してもよいし、接着剤により接着してもよい。
【００２７】
以上の説明においては、図６（ａ）のように本体１２の上方から蓋体１３を装着する構成を示したが、図１２（ａ）の縦断側面図及び図１２（ｂ）の斜視図に示すように、カップ状の本体１２Ａの上端部に段部１４Ａを形成し、本体１２Ａの上端部の一側辺から、略矩形状の蓋体１３Ａの水平板部下面１３Ｂをスライドさせながら装着する構成としてもよい。
このような構成によれば、本体１２Ａに例えば粉体若しくは粒体である非定形状の測定対象物Ａを山盛りにしておき、図１２（ｂ）の矢印Ｃのように蓋体１３Ａをスライドさせて測定対象物Ａを擦り切りながら、本体１２Ａに蓋体１３Ａを装着することができ、この例では、本体１２Ａの水平底板上面１２Ｃと蓋体１３Ａの水平板部下面１３Ｂとの間が所定の光路長になる。
【符号の説明】
【００２８】
Ａ  測定対象物
Ｂ  測定波長域の光を遮断する色
Ｌ  投射光
Ｈ１，Ｈ２，Ｈ３，Ｈ４  光路長
１  透過光式品質測定装置
２  トレー
３  収容部
４  摘み部
５  段部
６Ａ，６Ｂ  通孔
７  操作部
８  表示部
９  投光手段
１０  受光手段
１１  測定セル
１２，１２Ａ  本体
１２Ｂ  内側面
１２Ｃ  水平底板上面
１３，１３Ａ  蓋体
１３Ｂ  水平板部下面
１４，１４Ａ  段部
１５  鍔部
１５Ａ  下面
１６  蓋部
１６Ａ  水平板部下面
１６Ｂ  外側面
１７  凸部
１７Ａ  水平板部下面
１８  凹部
１９  鍔部
【図１】
0005906647.tif 000002
【図２】
0005906647.tif 000003
【図３】
0005906647.tif 000004
【図４】
0005906647.tif 000005
【図５】
0005906647.tif 000006
【図６】
0005906647.tif 000007
【図７】
0005906647.tif 000008
【図８】
0005906647.tif 000009
【図９】
0005906647.tif 000010
【図１０】
0005906647.tif 000011
【図１１】
0005906647.tif 000012
【図１２】
0005906647.tif 000013